(57)【要約】【課題】ＤＶＤ録再機とＶＣＲを一体型にした記録再生装置において、複数のディスクにコンテンツを分けて記録する際に、コンテンツが途切れことなく、かつダブった記録がなされることのないようにすること。【解決手段】ＤＶＤ録再機の記録実行時に、現在記録実行中のディスクの記録可能残存時間を検出する手段と、検出した記録可能残存時間が所定値以下となったときにＶＣＲを記録スタンバイ状態におき、ＤＶＤ録再機におけるディスクへの記録終了と同時に、ＤＶＤ録再機が記録していたコンテンツの続きの記録をＶＣＲに開始させる手段とを、具備する。【選択図】      図１
2004199758.tif 000002
【特許請求の範囲】
【請求項１】
ＤＶＤ（Digital Versatile Disk）の記録再生機（以下、ＤＶＤ録再機と記す）とＶＣＲ（Video Cassette Recorder）とが１つの筺体に収納され、かつＤＶＤ録再機はディスクオートチェンジャー機能を有する録再機であり、ＤＶＤ録再機とＶＣＲがお互いに単独で情報を記録再生できるとともに、一方が再生したデータを他方で記録できる記録再生装置において、
ＤＶＤ録再機の記録実行時に、現在記録実行中のディスクの記録可能残存時間を検出する手段と、
検出した記録可能残存時間が所定値以下となったときにＶＣＲを記録スタンバイ状態におき、ＤＶＤ録再機におけるディスクへの記録終了と同時に、ＤＶＤ録再機が記録していたコンテンツの続きの記録をＶＣＲに開始させる手段とを、
具備したことを特徴とする記録再生装置。
【請求項２】
請求項１記載において、
ＤＶＤ録再機での記録が終了しても、あらかじめ録画が設定された１つのコンテンツの記録が終了するまで、ＶＣＲでの記録を継続することを特徴とする記録再生装置。
【請求項３】
請求項２記載において、
ＶＣＲは、ＤＶＤ録再機におけるディスクへの記録終了時点に応じて、当該時点の情報をＶＩＳＳ（VHS Index Search System）信号またはＶＡＳＳ（VHS Address Search System）信号によってテープ上に記録することを特徴とする記録再生装置。
【請求項４】
請求項３記載において、
１つのコンテンツの記録が終了した時点で、ＶＣＲにおいて、ＶＩＳＳ信号またはＶＡＳＳ信号によってテープに記録した情報の頭出しを自動的に実行することを特徴とする記録再生装置。
【請求項５】
請求項４記載において、
１つのコンテンツの記録が終了した時点で、ＤＶＤ録再機は、記録済みディスクと新規ディスクとを交換して、新規ディスクに記録を行うことのできる記録スタンバイ状態に自動的に移行することを特徴とする記録再生装置。
【請求項６】
請求項５記載において、
前記頭出しされた部分からのＶＣＲによるテープ再生動作と、この再生されたデータをＤＶＤ録再機において自動交換された未記録ディスクに記録する動作とを、自動的に実行させるようにしたことを特徴とする記録再生装置。
【請求項７】
ＤＶＤ録再機とＶＣＲとが１つの筺体に収納され、ＤＶＤ録再機とＶＣＲがお互いに単独で情報を記録再生できるとともに、一方が再生したデータを他方で記録できる記録再生装置において、
ＤＶＤ録再機の記録実行時に、現在記録実行中のディスクの記録可能残存時間を検出する手段と、
検出した記録可能残存時間が所定値以下となったときにＶＣＲを記録スタンバイ状態におき、ＤＶＤ録再機におけるディスクへの記録終了と同時に、ＤＶＤ録再機が記録していたコンテンツの続きの記録をＶＣＲに開始させる手段とを、
具備したことを特徴とする記録再生装置。
【請求項８】
請求項７記載において、
ＤＶＤ録再機での記録が終了しても、あらかじめ録画が設定された１つのコンテンツの記録が終了するまで、ＶＣＲでの記録を継続することを特徴とする記録再生装置。
【請求項９】
請求項８記載において、
ＶＣＲは、ＤＶＤ録再機におけるディスクへの記録終了時点に応じて、当該時点の情報をＶＩＳＳ信号またはＶＡＳＳ信号によってテープ上に記録することを特徴とする記録再生装置。
【請求項１０】
請求項９記載において、
１つのコンテンツの記録が終了した時点で、ＶＩＳＳ信号またはＶＡＳＳ信号によってＶＣＲでテープに記録した情報の頭出しを実行し、当該頭出し部分からのＶＣＲによるテープ再生動作と、この再生されたデータをＤＶＤ録再機に新たに装着されたディスクに対して記録する動作とを、実行させるようにしたことを特徴とする記録再生装置。
【発明の詳細な説明】
【０００１】
【発明の属する技術分野】
本発明は、記録可能タイプのＤＶＤ（Digital Versatile Disk）を記録媒体とするＤＶＤ録再機（ＤＶＤの記録再生機）と、磁気テープを記録媒体としたＶＣＲ（Video Cassette Recorder）とが、１つの筺体に収納され、ＤＶＤ録再機とＶＣＲがお互いに単独で情報を記録再生できるとともに、一方が再生したデータを他方で記録できるように構成された記録再生装置に関する。
【０００２】
【従来の技術】
ＤＶＤ録再機等においては、ディスク１枚の容量には限りがあるため、記録できる時間と記録画質とは相反する状況に（トレイドオフの関係に）ある。つまり、コンテンツを高画質モードで記録しようとすると、記録時間が短くなり、反対に長時間のコンテンツを記録しようとすると、記録データの圧縮率を高めざるを得ないので、画質は悪くなる。
【０００３】
しかしながら、長時間のコンテンツであってもユーザにとっては高画質で保存したいものが多く、このユーザの要望を満足させることは出来ないのが、実情であった。
【０００４】
つまり、複数のディスクに分けてコンテンツの記録を計っても、コンテンツを途切れなく記録するのには、２台のＤＶＤ録再機を正確に時間合わせ等を行い、１台が記録終了と同時に２台目が記録スタートするように監視・操作する作業が必要となり、一般ユーザにとっては非常に複雑で困難な内容となり、コンテンツが途切れることなく記録することは至難の技であって、一旦途切れてしまうと修復が出来ない状況が発生する。このような事態を回避するために、２台目のＤＶＤ録再機の記録を早くすると、ダブった時間が多くなり、非常に見苦しいものになる。
【０００５】
なお、ＶＣＲで再生した映像信号をハードディスクを搭載した編集機に取り込み、編集結果を外部機器に出力するようにした技術が知られている（特許文献１参照）。
【０００６】
また、再生用ＶＣＲと記録用ＶＣＲと光ディスク記録再生機の３台の機器を接続し、２台のＶＣＲ間の編集時間を短縮するようにした技術が知られている（特許文献２）。
【０００７】
【特許文献１】
特開平１１−３９８４９号公報
【０００８】
【特許文献２】
特開平５−８９６４４号公報
【０００９】
【発明が解決しようとする課題】
ＤＶＤ録再機のディスクに高画質のコンテンツを長時間記録するには、複数のディスクにコンテンツを分けて記録するしか方法が無いが、１台のＤＶＤ録再機ではコンテンツを途切れなく記録することは、記録終了後にディスクを入れ替える必要があるため、不可能である。
【００１０】
また、２台のＤＶＤ録再機を使用する方法が考えられるが、留守番録画（タイマー録画）のようなときには、２台目の記録開始の時間設定が実質上不能であり、途切れなくコンテンツを記録することは出来ない。なぜなら、ＤＶＤの記録はＶＢＲ（Variable Bit Rate）方式で行われているため、ディスク（ＤＶＤ）へ記録できる時間が限定できない実情があるためである。
【００１１】
なお、前記特許文献１や前記特許文献２に記載された編集技術は、いずれも各編集用の機器を個別に設置し各機器間を接続ケーブルで接続した後に、編集用機器を操作して行うもので、編集システムが大型になり、操作も複雑な編集技術手段となっている。
【００１２】
かかる状況において、ＤＶＤ録再機とＶＣＲを一体型にした商品が提案されている。当該商品は、ＤＶＤ録再機とＶＣＲとの相互の記録再生が可能であり、特に、過去の資産をＤＶＤ録再機のデジタル化されたコンテンツに置き換えることによるディスクの省スペース性、取り扱いの利便性から、ユーザに受け入れられている。
【００１３】
本発明は、ＤＶＤ録再機とＶＣＲを一体型にした記録再生装置において、ＤＶＤ録再機とＶＣＲの高画質モードを活用し、複数のディスクへ高画質のコンテンツを記録させるための装置を提案するものであり、本発明の目的とするところは、複数のディスクにコンテンツを分けて記録する際に、コンテンツが途切れことなく、かつダブった記録がなされることのないように、することにある。
【００１４】
【課題を解決するための手段】
上記した目的を達成するために、本願による代表的な１つの発明では、
ＤＶＤ録再機とＶＣＲとが１つの筺体に収納され、かつＤＶＤ録再機はディスクオートチェンジャー機能を有する録再機であり、ＤＶＤ録再機とＶＣＲがお互いに単独で情報を記録再生できるとともに、一方が再生したデータを他方で記録できる記録再生装置において、
ＤＶＤ録再機の記録実行時に、現在記録実行中のディスクの記録可能残存時間を検出する手段と、
検出した記録可能残存時間が所定値以下となったときにＶＣＲを記録スタンバイ状態におき、ＤＶＤ録再機におけるディスクへの記録終了と同時に、ＤＶＤ録再機が記録していたコンテンツの続きの記録をＶＣＲに開始させる手段とを、
具備する。
また、本願による代表的な他の１つの発明では、
ＤＶＤ録再機とＶＣＲとが１つの筺体に収納され、ＤＶＤ録再機とＶＣＲがお互いに単独で情報を記録再生できるとともに、一方が再生したデータを他方で記録できる記録再生装置において、
ＤＶＤ録再機の記録実行時に、現在記録実行中のディスクの記録可能残存時間を検出する手段と、
検出した記録可能残存時間が所定値以下となったときにＶＣＲを記録スタンバイ状態におき、ＤＶＤ録再機におけるディスクへの記録終了と同時に、ＤＶＤ録再機が記録していたコンテンツの続きの記録をＶＣＲに開始させる手段とを、
具備する。
【００１５】
【発明の実施の形態】
以下、本発明の実施の形態を、図面を用いて説明する。
【００１６】
図１〜図３は本発明の第１実施形態に係り、図１は、本第１実施形態の記録再生装置の構成を示すブロック図である。
【００１７】
図１において、１は装置全体の統括制御を司るシステムコントローラ、２はＤＶＤ録再部、３はＶＣＲ部、４は映像信号入力端子、５は音声信号入力端子、６は映像信号出力端子、７は音声信号出力端子、Ｓ１〜Ｓ１０は切り替え回路である。また、ＤＶＤ録再部２中において、２１はＡＤ／ＤＡ・ＤＥＣＯＤＥ・ＥＮＣＯＤＥ回路、２２はＭＰＥＧ  ＣＯＤＥＣ（ＣＯＲＩＮＧ／ＤＥＣＯＤＩＮＧ）回路、２３はＡＤ／ＤＡ回路、２４はオーディオＣＯＤＥＣ回路、２５はＤＶＤインターフェース、２６はＤＶＤライター、２７はディスクオートチェンジャー機能を担うマルチトレイである。また、ＶＣＲ部３中において、３１はＹ／Ｃ処理回路、３２はオーディオ処理回路、３３はＶＣＲメカユニットである。
【００１８】
図１に示す構成において、ＤＶＤ録再部２における記録に際しては、ＤＶＤ録再部２に、映像信号（Ｖ−ＩＮ）および音声信号（Ａ−ＩＮ）が入力され、入力された映像信号（Ｖ−ＩＮ）は、ＡＤ／ＤＡ・ＤＥＣＯＤＥ・ＥＮＣＯＤＥ回路２１により、アナログのコンポジット信号がデジタルコンポーネント信号に変換される。デジタルコンポーネント信号は、ＭＰＥＧ  ＣＯＤＥＣ回路２２により、エンコードされＭＰＥＧ信号に圧縮される。一方、入力された音声信号（Ａ−ＩＮ）は、ＡＤ／ＤＡ回路２３により、デジタル化され、オーディオＣＯＤＥＣ回路２４により、ドルビーＡＣ３等のデジタル信号に変換される。ＤＶＤインターフェース２５では、上記のＭＰＥＧ信号とオーディオデジタル信号をＤＶＤのフォーマットに適合したストリームに置き換え、これをＤＶＤライター２６に供給し、ＤＶＤライター２６では、ディスク（ＤＶＤ）に当該ストリームを書き込むようになっている。
【００１９】
このようにして記録されたディスク（ＤＶＤ）は、たとえばＤＶＤ−ＲＷのビデオモードで記録されておれば、従来の市販されているＤＶＤプレーヤーで再生することが可能となる。すなわち、互換性の高いＤＶＤ（コンテンツが記録された再生互換性の高いＤＶＤ）を容易に作成することが可能になっている。
【００２０】
また、ＤＶＤ録再部２での再生は、前述と逆のメカニズムで信号が再生される。すなわち、ＤＶＤライター２６からの再生信号はＤＶＤインターフェース２５でストリームを分離し、映像信号はＭＰＥＧ  ＣＯＤＥＣ回路２２により、デコードされて伸張され、デジタルコンポーネント信号とされ、ＡＤ／ＤＡ・ＤＥＣＯＤＥ・ＥＮＣＯＤＥ回路２１でアナログのコンポジット信号に復元され、映像信号（Ｖ−ＯＵＴ）として出力される。また、音声信号はオーディオＣＯＤＥＣ回路２４でデジタル信号に変換され、ＡＤ／ＤＡ回路２３でアナログの音声信号に復元され、音声信号（Ａ−ＯＵＴ）として出力される。
【００２１】
また、本実施形態では、ＤＶＤ録再部２は、マルチトレイ２７によるディスクオートチェンジャー機能を備えており、複数枚のディスクを自動的に取り替えることにより、人手をかけずに連続的な記録もしくは再生が可能なようになっている。
【００２２】
また、図１に示す構成において、ＶＣＲ部３における記録に際しては、ＶＣＲ部３に、映像信号（Ｖ−ＩＮ）および音声信号（Ａ−ＩＮ）が入力され、入力された映像信号（Ｖ−ＩＮ）は、Ｙ／Ｃ処理回路３１でＶＨＳのフォーマットに適合した処理が行われ、入力された音声信号（Ａ−ＩＮ）も、同様にオーディオ処理回路３２でＶＨＳフォーマットに適合した処理が行われ、ＶＣＲメカユニット３３によりテープに記録が行われる。
【００２３】
ＶＣＲ部３での再生時には、ＶＣＲメカユニット３３からの信号が、Ｙ／Ｃ処理回路３１、オーディオ処理回路３２を介して、元の映像信号と音声信号にそれぞれ復元され、映像信号（Ｖ−ＯＵＴ）、音声信号（Ａ−ＯＵＴ）として出力される。
【００２４】
ここで、上述のそれぞれの処理のおいては、システムコントローラ１が介在し、処理を実行するようになっていることは言うまでもない。なお、ＤＶＤ録再部２とＶＣＲ部３の記録／再生のメカニズムは、いま少し複雑であるが、これについては本発明の要旨と直接関係しないので、概略の説明にとどめる。
【００２５】
図１に示す構成において、前記切り替え回路Ｓ１〜Ｓ１０は、ＤＶＤ録再部２とＶＣＲ部３でそれぞれ、映像信号と音声信号とを、記録または再生を行うために切り替えるためのものである。切り替え回路Ｓ５、Ｓ６は、映像信号入力端子４、音声信号入力端子５からの映像信号（Ｖ−ＩＮ）、音声信号（Ａ−ＩＮ）を、ＤＶＤ録再部２とＶＣＲ部３に選択的に振り分けるための回路である。切り替え回路Ｓ９、Ｓ１０は、映像信号出力端子６、音声信号出力端子７から外部に出力する映像信号（Ｖ−ＯＵＴ）、音声信号（Ａ−ＯＵＴ）を、ＤＶＤ録再部２からの出力とＶＣＲ部３からの出力とに選択的に振り分けるための回路である。切り替え回路Ｓ１、Ｓ２、Ｓ３、Ｓ４は、ＤＶＤ録再部２、ＶＣＲ部３からの再生信号を相互に選択的に記録するための回路である。切り替え回路Ｓ７、Ｓ８は、映像信号入力端子４、音声信号入力端子５からの映像信号（Ｖ−ＩＮ）、音声信号（Ａ−ＩＮ）を、ＤＶＤ録再部２とＶＣＲ部３で、同時に記録するための回路である。
【００２６】
ところで本実施形態のような記録再生装置において、ＤＶＤ録再部２でのディスクへの記録時間は、任意に設定できることは周知であるが、記録時間を長くしようとすると、ＭＰＥＧ  ＣＯＤＥＣ２２での圧縮率を高める必要があるため、それに伴って、記録の画質が劣化することになる。画質を良くするためには、ＭＰＥＧ  ＣＯＤＥＣ２２での圧縮率を低くする必要があるが、こうすると記録時間が少なくなる。一般的に、ＤＶＤへの記録では、１〜２時間程度が高画質モードとして推奨されており、それ以上の時間を記録しようとすると、画質は劣化して行く。
【００２７】
本実施形態の記録再生装置のＤＶＤ録再部２で、マルチトレイ２７を用いたディスクオートチェンジャー機能にて、連続的に長時間な１つのコンテンツを高画質で記録しようとした場合、１枚のディスクに記録しようとしても記録しきれないため、ディスクを自動的に取り替えて、記録を行う必要があるが、このようにすると、コンテンツ記録中に一旦ディスクを取り出す必要があるため、その間はコンテンツの記録が途切れることになり、重要なシーンがなくなる懸念がある。そこで、本実施形態の記録再生装置では、長時間のコンテンツを高画質の映像で、ダブりとか途切れが無い状態で、複数のディスク分けて、確実に記録できるシステムを構築するものである。
【００２８】
前記切り替え回路Ｓ１〜Ｓ１０の切り替え動作に関し、さらに詳細な説明を加える。先にも述べたように、切り替え回路Ｓ５、Ｓ６は、外部から入力されてきた映像信号（Ｖ−ＩＮ）、音声信号（Ａ−ＩＮ）を、ＤＶＤ録再部２またはＶＣＲ部３へ切り替えて入力させるもので、ＤＶＤ録再部２が記録モードに入ると自動的に接点がＡ側に接し、ＶＣＲ部３が記録モードに入ると自動的に接点がＢ側に接するようになっている。また、切り替え回路Ｓ９、Ｓ１０は、ＤＶＤ録再部２またはＶＣＲ部３の再生出力を、選択して外部へ出力させるが、ＤＶＤ録再部２が再生モードに入ると自動的に接点がＡ側に接し、ＶＣＲ部３が再生モードに入ると自動的に接点がＢ側に接する。
【００２９】
切り替え回路Ｓ１、Ｓ３及びＳ２、Ｓ４は、３接点になっており、通常はＣ側に接し、中立の状態にある。この切り替え回路Ｓ１、Ｓ３及びＳ２、Ｓ４は、ＤＶＤ録再部２からＶＣＲ部３へまたはＶＣＲ部３からＤＶＤ録再部２へコンテンツを記録するときに使用するためのもので、例えばＶＣＲ部３の再生コンテンツをＤＶＤ録再部２で記録する場合は、切り替え回路Ｓ１、Ｓ２、Ｓ３、Ｓ４は共に接点がＢ側に接することにより、ＶＣＲ部３の出力がＤＶＤ録再部２側の入力に供給され、ＶＣＲ部３の再生信号がＤＶＤ録再部２で記録できるようになる。なお、このような切り替え回路Ｓ１、Ｓ２、Ｓ３、Ｓ４の切り替え状態では、切り替え回路Ｓ５、Ｓ６を接点Ｂ側に接するようにしておけば、ＤＶＤ録再部２への入力が混信することは無い。ＤＶＤ録再部２の再生コンテンツをＶＣＲ部３で記録するときは、上記の説明と逆になることは容易にわかるため、説明は省略する。
【００３０】
切り替え回路Ｓ７、Ｓ８は、オフからオンに切り替えることにより、ＤＶＤ録再部２とＶＣＲ部３に同一の入力信号を供給する働きをし、切り替え回路Ｓ７、Ｓ８がオンされたときには、切り替え回路Ｓ３、Ｓ４はＡ接点に接するように制御される。
【００３１】
以下、本実施形態の記録再生装置の動作の詳細な説明を行う。通常、長時間記録するにはタイマー録画のように、記録開始から終了までの時間を設定し、記録を行うことが多くあるが、当該タイマー録画の設定において、本実施形態ではあらかじめ記録時間が２時間以上で且つ高画質で記録したいときに、ＤＶＤ録再部２、ＶＣＲ部３の継続録画のモードを設定する（このとき、ＶＣＲ部３での録画モードは最も画質のよいモード（例えば「標準モード」）となるように設定される）。すなわち、ＤＶＤ録再部２の記録が終了する直前に、ＶＣＲ部３を録画スタンバイの状態に起動させ、ＤＶＤ録再部２の記録が終了するとほぼ同時に、ＶＣＲ部３での記録を開始するようなシステムを構築する。また、ＶＣＲ部３での記録の開始と同時に、ＶＣＲ部３において、テープにＶＩＳＳ（VHS Index Search System）信号あるいはＶＡＳＳ（VHS Address Search System）信号を書き込んで記録開始時点のマーキングを行い、コンテンツの記録切り替え時点を容易に検索できるようにする。
【００３２】
図２は、本実施形態におけるＤＶＤ録再部２、ＶＣＲ部３の継続録画の時間的な経過を示すタイムチャート図である。
【００３３】
図２に示すように、コンテンツの記録予定時間（Ａ）に対して、ＤＶＤ録再部２の記録時間（Ｂ）が限定されている。一般的に、記録のスタートは、タイマー予約等で記録が自動的に開始される（このタイマー予約に関しては周知のこととして省略する）。また、ＤＶＤ録再部２のディスクに記録できる時間は限られており、ディスクに記録を行っている際に、記録可能な残時間を検出するようになっている。
【００３４】
図２に示した例では、時刻Ｔ１からＤＶＤ録再部２でディスクへの記録を開始し、時刻Ｔ２においてディスクの記録可能残時間が所定値以下となったことを検出し（ディスクの記録終了が近づいたことを検出し）、時刻Ｔ２からｂの期間で、ＶＣＲ部３を記録スタンバイ、すなわち記録ポーズの状態で待機させる。
【００３５】
この後、時刻Ｔ３において、ディスクの記録可能残時間が無くなってディスクへの記録終了（ＤＶＤ録再部２の記録終了）とともに、ＶＣＲ部３での記録が実行開始され、テープへの記録開始となる。これにより、コンテンツの記録がＤＶＤ録再部２からＶＣＲ部３側に引き継がれ、コンテンツが切れ目無しに、かつ、ダブルことなく記録されることになる。また、ＶＣＲ部３での記録開始時刻に同期して、ＶＣＲのフォーマットで推奨されている、ＶＩＳＳ信号あるいはＶＡＳＳ信号（つまり、タイムコード信号）をテープのコントロールトラックを活用して記録しておき、これにより再生時に容易に記録開始時点を検索できるようにしておく。
【００３６】
この後、時刻Ｔ４において、コンテンツの記録時間が終了し、テープへの記録終了（ＶＣＲ部３の記録終了）となる。したがって、テープには（Ｃ）の時間に相当するコンテンツが記録されることになる。なお、この時点で記録終了に相当するＶＩＳＳ信号あるいはＶＡＳＳ信号をテープに記録しておく。
【００３７】
時刻Ｔ４から（Ｄ）の期間で、ＶＣＲ部３は、テープの巻き戻し、ＶＩＳＳ／ＶＡＳＳ信号の検出を行って、前述のテープ記録開始時点を検索、頭出しして、テープの再生スタンバイの状態で待機する。一方、この（Ｄ）の期間で、ＤＶＤ録再部２は、マルチトレイ２７のディスク交換を実行し、新規ＤＶＤ（新規ディスク）の記録開始ができるように設定する。
【００３８】
そして、時刻Ｔ５において、テープの再生開始とディスクの記録開始とを同時に実行させる。これにより、テープ再生とディスク記録とが実行されて、テープに記録されていたコンテンツが交換された新規のディスクに記録されることになる。
【００３９】
この後、時刻Ｔ６において、テープに記録されたＶＩＳＳ／ＶＡＳＳ信号により、コンテンツの記録終了を検出し、テープ再生停止と同時にディスク記録終了を実行し、一連のシステム動作が終了する。なお、テープの再生時間（Ｅ）とディスクの記録時間（Ｆ）は、当然のことながら同一の時間となる。
【００４０】
図３は、本実施形態におけるＤＶＤ録再部２、ＶＣＲ部３の継続録画の処理の流れを示すフローチャートである。
【００４１】
タイマー記録もしくは操作ボタンにより、ＤＶＤ記録指示（ステップＳＴ１）が行われると、前述の時刻Ｔ１からＤＶＤ（ディスク）への記録が開始される（ステップＳＴ２）。このとき、別途連続記録モード（継続記録モード）の処理指示をシステムコントローラ１に記憶させておく（ステップＳＴ７）。ＤＶＤ記録中（ステップＳＴ３）において、ディスクへの記録とともに、ディスクの記録残存時間の演算・検出を行い（ステップＳＴ４）、記録残存時間があらかじめ定めた規定時間以下になったことを検出すると、ＶＣＲ３側へ記録スタンバイ信号を送出する（ステップＳＴ６）。また、上記の連続記録モードの指示がシステムコントローラ１に記憶されていることにより、連続記録モードが動作して（ステップＳＴ７）、ＤＶＤ録再部２の記録終了と同時に、ＶＣＲ部３への連続記録の指示信号を発生させる（ステップＳＴ８）。
【００４２】
連続記録の指示信号（記録開始の指示信号）を受けたＶＣＲ部３は、テープへのコンテンツの記録を開始させ（ステップＳＴ９）、これと同時に、ＶＣＲ部３は、記録開始時刻と同期してＶＩＳＳ／ＶＡＳＳ信号をテープ上に記録する（ステップＳＴ１０）。ＶＣＲ部３での記録中（ステップＳＴ１１）に、タイマー録画終了等のＶＣＲ部３での記録終了タイミングに至ったかの検出が行われ（ステップＳＴ１２）、記録終了タイミングに至ると、ＶＣＲ部３によるテープへの記録が終了する（ステップＳＴ１３）。当該時点においても、ＶＩＳＳ／ＶＡＳＳ信号をテープに記録し、テープにコンテンツの記録終了時点を記録しておく（ステップＳＴ１４）。
【００４３】
ＶＣＲ部３での記録終了後、ＤＶＤ録再部２におけるＤＶＤマルチトレイ／ＤＶＤ制御が動作し（ステップＳＴ１５）、マルチトレイ２７が記録済みのディスクを取り出し、未記録の新規ディスクを装着する動作を実行する（ステップＳＴ１６、ステップＳＴ１７）。その後、ＤＶＤ録再部２は、記録開始可能な記録スタンバイの状態で待機する（ステップＳＴ１８）。
【００４４】
一方、ＶＣＲ３側では、テープへの記録終了の時点から、ＶＣＲ制御が動作し（ステップＳＴ２３）、テープが巻き戻しされて、ＶＩＳＳ／ＶＡＳＳ信号の検出が行われ（ステップＳＴ２４、ステップＳＴ２５）、記録開始時に記憶しておいたテープの場所を検出して、頭出し／停止するモードによって、テープが記録開始時点に頭出しされた状態で待機する（ステップＳＴ２６）。なお、詳細な動作は省略するが、通常高速で巻き戻されたときには、停止位置が若干異なった場所になるが、ＶＩＳＳ／ＶＡＳＳ信号を通常の再生スピードで検索するシステムが組み込まれており、正確な記録開始位置で停止させ、再生ポーズの状態で待機するシステムとなっている。
【００４５】
このようにして、記録スタンバイ完了／頭出し完了となり（ステップＳＴ２１）、ＤＶＤ録再部２は記録ポーズ状態、ＶＣＲ部３は再生ポーズ状態となる。
【００４６】
記録スタンバイ完了／頭出し完了を確認すると、記録スタート指令が出され（ステップＳＴ２２）、ＤＶＤ録再部２の記録スタートが実行される（ステップＳＴ１９）とともに、ＶＣＲ部３の再生スタートが実行され（ステップＳＴ２７）、ＶＣＲ部３に記録されていたコンテンツが、ＤＶＤ録再部２の新規ディスクに記録されることになる。
【００４７】
ＶＣＲ部３によるテープの再生中（ステップＳＴ２８）に、テープへの記録終了時に記憶しておいたＶＩＳＳ／ＶＡＳＳ信号を検出する（ステップＳＴ２９）ことにより、コンテンツの記録終了を検出し、ＶＣＲ部３における再生を停止する（ステップＳＴ３２）とともに、記録停止指令をＤＶＤ録再部２に出して、これにより、ＤＶＤ録再部２での記録を停止させ（ステップＳＴ３１）、これによって一連の動作を終了させる。
【００４８】
このように本実施形態では、１つのコンテンツをＤＶＤ録再部２でリアルタイムで記録できなかった残りの部分を、ＶＣＲ部３で引き続きリアルタイムで記録するようし、一旦コンテンツの記録が完了した時点で、ＤＶＤ録再部２は新規なディスクに自動的に入れ替えて記録スタンバイ状態をとり、ＶＣＲ部３はＶＩＳＳ／ＶＡＳＳ信号を活用し、テープへの記録開始時点に巻き戻しを行い、ＶＣＲ部３でテープを再生するとともに、ＤＶＤ録再部２で再生信号を記録するようになっているので、複数のディスクに途切れの無いコンテンツを収録し、保存することが可能になる。すなわち、本実施形態によれば、長時間のコンテンツを高画質で、複数のディスクに分けて、途切れなくかつダブリなく収録させることが可能となり、しかも、ディスク交換を自動的に行うので、ユーザに対して利便性の高いシステムを提供できる。
【００４９】
次に、本発明の第２実施形態を説明する。図４〜図６は本発明の第２実施形態に係り、図４は、本第２実施形態の記録再生装置の構成を示すブロック図である。なお、図４において、図１に示した前記第１実施形態と均等な構成要素には同一符号を付し、その説明は重複を避けるため割愛する。
【００５０】
本実施形態が前記第１実施形態と相違するのは、ＤＶＤ録再部２には、マルチトレイによるディスクオートチェンジャ機能がない点にあり、本実施形態では、ユーザによるマニュアル操作によって、ディスクの入れ替えを行うようになっている。その他の構成は、図１の前記第１実施形態と同様である。
【００５１】
本実施形態においても、タイマー録画の設定において、記録時間が２時間以上で且つ高画質で記録したいときに、ＤＶＤ録再部２、ＶＣＲ部３の継続録画のモードを設定する。すなわち、ＤＶＤ録再部２の記録が終了する直前に、ＶＣＲ部３を録画スタンバイの状態に起動させ、ＤＶＤ録再部２の記録が終了するとほぼ同時に、ＶＣＲ部３での記録を開始するようにシステムを構築してある。また、ＶＣＲ部３での記録の開始と同時に、ＶＣＲ部３において、テープにＶＩＳＳ信号あるいはＶＡＳＳ信号を書き込んで記録開始時点のマーキングを行い、コンテンツの記録切り替え時点を容易に検索できるようにする。
【００５２】
図５は、本実施形態におけるＤＶＤ録再部２、ＶＣＲ部３の継続録画の時間的な経過を示すタイムチャート図である。
【００５３】
図５に示すように、コンテンツの記録予定時間（Ａ）に対して、ＤＶＤ録再部２、録再ＤＶＤの記録時間Ｂが限定されている。先にも述べたように、一般的に、記録のスタートは、タイマー予約等で記録が自動的に開始され、また、ＤＶＤ録再部２においてディスクに記録を行っている際に、記録可能な残時間を検出するようになっている。
【００５４】
図５に示した例では、時刻Ｔ１からＤＶＤ録再部２でディスクへの記録を開始し、時刻Ｔ２においてディスクの記録可能残時間が所定値以下となったことを検出し、時刻Ｔ２からｂの期間で、ＶＣＲ部３を記録スタンバイ、すなわち記録ポーズの状態で待機させる。
【００５５】
この後、時刻Ｔ３において、ディスクの記録可能残時間が無くなってディスクへの記録終了（ＤＶＤ録再部２の記録終了）とともに、ＶＣＲ部３での記録が実行開始され、テープへの記録開始となる。これにより、コンテンツの記録がＤＶＤ録再部２からＶＣＲ部３側に引き継がれ、コンテンツが切れ目無しに、かつ、ダブルことなく記録されることになる。また、ＶＣＲ部３での記録開始時刻に同期して、ＶＩＳＳ信号あるいはＶＡＳＳ信号をテープのコントロールトラックを活用して記録しておき、これにより再生時に容易に記録開始時点を検索できるようにしておく。
【００５６】
この後、時刻Ｔ４において、コンテンツの記録時間が終了し、テープへの記録終了（ＶＣＲ部３の記録終了）となる。したがって、テープには（Ｃ）の時間に相当するコンテンツが記録されることになる。なお、この時点で記録終了に相当するＶＩＳＳ信号あるいはＶＡＳＳ信号をテープに記録しておく。
【００５７】
図６は、本実施形態におけるＤＶＤ録再部２、ＶＣＲ部３の継続録画の処理の流れを示すフローチャートである。図６において、図３に示した前記第１実施形態と同一の処理ステップには同一のステップ番号を付してあり、本実施形態の処理フローは、図３のステップＳＴ１〜ステップＳＴ１４の処理と同一であるので、その説明は割愛する。
【００５８】
このように本実施形態でも、１つのコンテンツをＤＶＤ録再部２でリアルタイムで記録できなかった残りの部分を、ＶＣＲ部３で引き続きリアルタイムで記録するようしているので、一旦コンテンツの記録が完了した時点で、ＤＶＤ録再部２に新規なディスクをユーザが装着し、ＤＶＤ録再部２に記録スタンバイ状態をとらせるとともに、ＶＣＲ部でＶＩＳＳ／ＶＡＳＳ信号を活用し、テープへの記録開始時点に巻き戻しを行い、しかる後、ＶＣＲ部３でテープを再生するとともに、ＤＶＤ録再部２で再生信号を記録するようになせば、複数のディスクに途切れの無いコンテンツを収録し、保存することが可能になる。すなわち、本実施形態によれば、長時間のコンテンツを高画質で、複数のディスクに分けて、途切れなくかつダブリなく収録させることが可能となり、ユーザに対して利便性の高いシステムを提供できる。
【００５９】
なお、上述してきた説明では、高画質の記録を主眼において説明したが、それはあくまでも１例であり、当然ユーザーが任意に設定できるものであるから、画質にこだわることは無く、一連のコンテンツを複数のディスクにコンテンツのストーリーが途切れなく収録されることに関しても、本発明に包含されるものであることは、言うまでもない。
【００６０】
【発明の効果】
以上のように本発明によれば、ＤＶＤ録再機とＶＣＲを一体型にした記録再生装置において、タイマー録画の設定といったユーザにとってなじみの深い手軽な操作手法で、長時間のコンテンツを、高画質で、コンテンツが途切れことなく、かつダブった記録がないようにリアルタイムで記録することができる。また、複数のディスクにコンテンツを分けて記録することを、簡単・確実に行うことができる。したがって、長時間のコンテンツを高画質で、複数のディスクに分けて、途切れなくかつダブリなく収録させることが可能となり、ユーザにとって大いに利便性が向上する。また、ＤＶＤ録再機にディスクオートチェンジャー機能を具備させれば、複数のディスクにコンテンツを分けて記録することを、装置が自動的に実行するので、ユーザの手間が大幅に軽減される。
【図面の簡単な説明】
【図１】本発明の第１実施形態に係る記録再生装置の構成を示すブロック図である。
【図２】本発明の第１実施形態に係る記録再生装置における、ＤＶＤ録再部、ＶＣＲ部の継続録画の時間的な経過を示すタイムチャート図である。
【図３】本発明の第１実施形態に係る記録再生装置における、ＤＶＤ録再部、ＶＣＲ部の継続録画の処理の流れを示すフローチャートである。
【図４】本発明の第２実施形態に係る記録再生装置の構成を示すブロック図である。
【図５】本発明の第２実施形態に係る記録再生装置における、ＤＶＤ録再部、ＶＣＲ部の継続録画の時間的な経過を示すタイムチャート図である。
【図６】本発明の第２実施形態に係る記録再生装置における、ＤＶＤ録再部、ＶＣＲ部の継続録画の処理の流れを示すフローチャートである。
【符号の説明】
１  システムコントローラ
２  ＤＶＤ録再部
３  ＶＣＲ部
４  映像信号入力端子
５  音声信号入力端子
６  映像信号出力端子
７  音声信号出力端子
２１  ＡＤ／ＤＡ・ＤＥＣＯＤＥ・ＥＮＣＯＤＥ回路
２２  ＭＰＥＧ  ＣＯＤＥＣ（ＣＯＲＩＮＧ／ＤＥＣＯＤＩＮＧ）回路
２３  ＡＤ／ＤＡ回路
２４  オーディオＣＯＤＥＣ回路
２５  ＤＶＤインターフェース
２６  ＤＶＤライター
２７  マルチトレイ
３１  Ｙ／Ｃ処理回路
３２  オーディオ処理回路
３３  ＶＣＲメカユニット
Ｓ１〜Ｓ１０  切り替え回路
【図１】
2004199758.tif 000003
【図２】
2004199758.tif 000004
【図３】
2004199758.tif 000005
【図４】
2004199758.tif 000006
【図５】
2004199758.tif 000007
【図６】
2004199758.tif 000008